(57)【要約】【課題】人体のエネルギー代謝量を容易に計測できるようにする。【解決手段】人体から放出される放熱量を検出する放熱量検出部１０と、計測の開始の指示が受け付けられた場合、計測の終了の指示が受け付けられるまでの所定期間、放熱量検出部により検出されたデータを周期的に収集し、収集したデータ毎に人体から放出される放熱量を算出し（Ｓ１００〜Ｓ１０６）、この放熱量に基づいて所定期間中に人体で消費されたエネルギー代謝量を算出する（Ｓ１０７〜Ｓ１０８、Ｓ３０８〜Ｓ３１２）。【選択図】図６
2019017736.tif 000002
【特許請求の範囲】
【請求項１】
代謝量計測器であって、
人体から放出される放熱量を検出する放熱量検出部（１０）と、
エネルギー代謝量の計測の開始および終了の指示を受け付ける操作部（３１１、３１２、５０１、５０２）と、
前記操作部により前記エネルギー代謝量の計測の開始の指示が受け付けられた場合、前記操作部により前記エネルギー代謝量の計測の終了の指示が受け付けられるまでの所定期間、前記放熱量検出部により検出されたデータを周期的に収集し、収集した前記データ毎に人体から放出される放熱量を算出する放熱量算出部（Ｓ１００〜Ｓ１０６）と、
前記放熱量算出部により算出された前記放熱量に基づいて前記所定期間中に人体で消費された前記エネルギー代謝量を算出する代謝量算出部（Ｓ１０７〜Ｓ１０８、Ｓ３０８〜Ｓ３１２）と、を備えた代謝量計測器。
【請求項２】
前記放熱量検出部は、前記放熱量を熱流として検出する熱流センサを備えている請求項１に記載の代謝量計測器。
【請求項３】
前記代謝量算出部は、人体の身体的特徴を表すパラメータを取得し、該パラメータに基づいて人体全体の表面積を推定するとともに、前記放熱量算出部により算出された前記放熱量と前記人体全体の表面積とに基づいて人体で消費された前記エネルギー代謝量を算出する請求項１または２に記載の代謝量計測器。
【請求項４】
前記放熱量検出部は、前記放熱量を熱流として検出する複数の熱流センサを備え、
前記放熱量算出部は、複数の前記熱流センサより出力された複数の前記データに基づいて人体の所定部位毎の放熱量を周期的に算出する請求項１ないし３のいずれか１つに記載の代謝量計測器。
【請求項５】
前記代謝量算出部は、前記複数の前記熱流センサが装着される人体の部位に応じて前記放熱量算出部により算出された人体の所定部位毎の前記放熱量に重み付けする重み付け部（Ｓ３１２）を備え、
前記重み付け部により重み付けされた人体の所定部位毎の前記放熱量に基づいて人体で消費された前記エネルギー代謝量を算出する請求項４に記載の代謝量計測器。
【請求項６】
前記代謝量算出部により算出された人体で消費された前記エネルギー代謝量を日付を表す日付情報とともに記憶する記憶部（３１４、５１４）を備えた請求項１ないし５のいずれか１つに記載の代謝量計測器。
【発明の詳細な説明】
【技術分野】
【０００１】
本発明は、エネルギー代謝量を計測する代謝量計測器に関するものである。
【背景技術】
【０００２】
従来、人体の筋肉の動きを瞬時に感知体感できるようにした装置がある（例えば、特許文献１参照）。この装置は、被測定者の測定部位に装着されて筋電信号を検出する電極と、筋電信号を処理する回路と、筋電信号の大きさに相関して音量、音階、音程、音色、メロディー等が変化するスピーカと、これらを駆動する電源電池と、これらを収納する筐体と、を備えている。
【先行技術文献】
【特許文献】
【０００３】
【特許文献１】特開２０１１−５６２４３号公報
【発明の概要】
【発明が解決しようとする課題】
【０００４】
上記特許文献１に記載された装置は、被測定者が筋肉の動きを音により体感することは可能であるが、被測定者のエネルギー代謝量を容易に計測することはできない。
【０００５】
本発明は上記点に鑑みたもので、人体のエネルギー代謝量を容易に計測できるようにすることを目的とする。
【課題を解決するための手段】
【０００６】
上記目的を達成するため、請求項１に記載の発明は、代謝量計測器であって、人体から放出される放熱量を検出する放熱量検出部（１０）と、エネルギー代謝量の計測の開始および終了の指示を受け付ける操作部（３１１、３１２、５０１、５０２）と、操作部によりエネルギー代謝量の計測の開始の指示が受け付けられた場合、操作部によりエネルギー代謝量の計測の終了の指示が受け付けられるまでの所定期間、放熱量検出部により検出されたデータを周期的に収集し、収集したデータ毎に人体から放出される放熱量を算出する放熱量算出部（Ｓ１００〜Ｓ１０６）と、放熱量算出部により算出された放熱量に基づいて所定期間中に人体で消費されたエネルギー代謝量を算出する代謝量算出部（Ｓ１０７〜Ｓ１０８、Ｓ３０８〜Ｓ３１２）と、を備えている。
【０００７】
このような構成によれば、操作部によりエネルギー代謝量の計測の開始の指示が受け付けられた場合、操作部によりエネルギー代謝量の計測の終了の指示が受け付けられるまでの所定期間、放熱量検出部により検出されたデータが周期的に収集されデータ毎に人体から放出される放熱量が算出され、この放熱量に基づいて所定期間中に人体で消費されたエネルギー代謝量が算出されるので、人体のエネルギー代謝量を容易に計測することができる。
【０００８】
なお、この欄および特許請求の範囲で記載した各手段の括弧内の符号は、後述する実施形態に記載の具体的手段との対応関係を示すものである。
【図面の簡単な説明】
【０００９】
【図１】第１実施形態の代謝量計測器のセンシングの構成図である。
【図２】第１実施形態の代謝量計測器のセンシングが上腕部に装着された様子を表した図である。
【図３】第１実施形態の代謝量計測器のブロック構成図である。
【図４】熱流センサの平面図である。
【図５】図４中のＶ−Ｖ断面図である。
【図６】第１実施形態のセンシング部の制御部のフローチャートである。
【図７】サンプリング周期毎に熱流センサから出力された電圧を収集して熱流を算出する処理について説明するための図である。
【図８】第２実施形態の代謝量計測器のブロック構成図である。
【図９】第２実施形態の代謝量計測器のセンシングの構成図である。
【図１０】第２実施形態のセンシング部の制御部のフローチャートである。
【図１１】第２実施形態のデータロガーの制御部のフローチャートである。
【図１２】第２実施形態のデータロガーのスタートスイッチおよびストップスイッチを表した図である。
【発明を実施するための形態】
【００１０】
以下、本発明の実施形態について図に基づいて説明する。なお、以下の各実施形態相互において、互いに同一もしくは均等である部分には、図中、同一符号を付してある。
【００１１】
（第１実施形態）
本発明の第１実施形態に係る代謝量計測器について図１〜図７を用いて説明する。本代謝量計測器１は、人体で消費されるエネルギー代謝量を計測するものであり、トレーニングやダイエット等に用いられる。
【００１２】
図１に示すように、代謝量計測器１は、センシング部４０を備えている。センシング部４０は、熱流センサ１０、ジェルパッド２０および本体部３０を備えている。
【００１３】
熱流センサ１０は、流束のひとつである熱流を検出する。熱流は、単位時間に単位面積を横切る熱量であり、単位にはＷ／ｃｍ2が用いられる。本実施態の熱流センサ１０は、人体８の表面から放出される放熱量を熱流として検出し、この熱流を特定するための信号を検出結果として本体部３０へ出力する。具体的には、熱流センサ１０は、熱流を特定するための信号として、熱流に応じた電圧を出力する。
【００１４】
熱流センサ１０の一面には、粘着性および柔軟性を有するジェルパッド２０が付着されている。ジェルパッド２０を用いて熱流センサ１０が人体８の表面に貼り付けられるよう構成されている。
【００１５】
本体部３０には、エネルギー代謝量の計測の開始の指示を受け付けるためのスタートボタン３１１、エネルギー代謝量の計測の開始えの指示を受け付けるためのストップボタン３１２、エネルギー代謝量を表示するための表示部３１３および各種電気回路部品に給電するための電池３４等が設けられている。
【００１６】
本実施形態では、図２に示すように、人体８の上腕部８１にセンシング部４０を装着してエネルギー代謝量を計測する。このように、本実施形態では、１つのセンシング部４０を用いて人体で消費されるエネルギー代謝量を計測する。
【００１７】
図３は、代謝量計測器１のブロック構成図である。代謝量計測器１は、センシング部４０およびデータロガーを有している。
【００１８】
センシング部４０は、スタートボタン３１１、ストップボタン３１２、表示部３１３、記憶部３１４、通信部３１５および制御部３２を備えている。
【００１９】
スタートボタン３１１およびストップボタン３１２は、それぞれユーザの操作に応じた信号を出力するスイッチにより構成されている。各スイッチは、ユーザの操作に応じた信号を制御部３２へ出力する。
【００２０】
表示部３１３は、液晶等のディスプレイを有し、制御部３２より入力された信号に応じた表示像をディスプレイに表示させる。
【００２１】
記憶部３１４は、フラッシュメモリ等の書き換え可能な記憶媒体により構成されている。記憶部３１４には、計測したエネルギー代謝量、計測日時等のデータが記憶される。
【００２２】
制御部３２は、ＣＰＵ、ＲＯＭ、ＲＡＭ、Ｉ／Ｏ等を備えたコンピュータとして構成されており、ＣＰＵは、ＲＯＭに記憶されたプログラムに従って各種処理を実施する。制御部３２は、アナログ信号をデジタル信号に変換するＡＤコンバータ３２０を有している。
【００２３】
ＡＤコンバータ３２０には、熱流センサ１０より熱流を特定するためのアナログ信号が入力される。ＡＤコンバータ３２０は、この熱流を特定するためのアナログ信号をデジタル信号変換する。
【００２４】
制御部３２は、熱流センサ１０からＡＤコンバータ３２０を介して入力される熱流を特定するための信号に基づいて人体で消費されるエネルギー代謝量を算出する処理を実施する。
【００２５】
通信部３１５は、外部機器と無線通信を行うものである。本実施形態のセンシング部４０は、通信部３１５を介してデータロガー５０と無線通信を行うことも可能となっている。
【００２６】
データロガー５０は、センシング部４０から送信されるデータを受信して管理するものである。データロガー５０は、表示部５１３、記憶部５１４、通信部５１５、操作部５１６、制御部５２を備えている。
【００２７】
表示部５１３、液晶等のディスプレイを有し、制御部３２より入力された信号に応じた表示像をディスプレイに表示させる。
【００２８】
通信部５１５は、外部機器と無線通信を行うものである。本実施形態のデータロガー５０は、通信部５１５を介してセンシング部４０と無線通信を行う。
【００２９】
記憶部５１４は、フラッシュメモリ等の書き換え可能な記憶媒体により構成されている。記憶部５１４には、センシング部４０から送信されるエネルギー代謝量等のデータが記憶される。
【００３０】
操作部５１６は、十字キー、押し釦スイッチ等のスイッチ群を有し、ユーザによるスイッチ操作に応じた信号を制御部５２に出力する。
【００３１】
制御部５２は、ＣＰＵ、ＲＯＭ、ＲＡＭ、Ｉ／Ｏ等を備えたコンピュータとして構成されており、ＣＰＵは、ＲＯＭに記憶されたプログラムに従って各種処理を実施する。
【００３２】
次に、熱流センサ１０について説明する。図４、図５に示すように、熱流センサ１０は、絶縁基材１００、表面保護部材１１０、裏面保護部材１２０が一体化され、この一体化されたものの内部で第１、第２層間接続部材１３０、１４０が交互に直列に接続された構造を有する。
【００３３】
絶縁基材１００、表面保護部材１１０、裏面保護部材１２０は、フィルム状であって、熱可塑性樹脂等の可撓性を有する樹脂材料で構成されている。絶縁基材１００は、その厚さ方向に貫通する複数の第１、第２ビアホール１０１、１０２が形成されている。
【００３４】
第１、第２ビアホールに互いに異なる金属や半導体等の熱電材料で構成された第１、第２層間接続部材１３０、１４０が埋め込まれている。絶縁基材１００の表面１００ａに配置された表面導体パターン１１１によって第１、第２層間接続部材１３０、１４０の一方の接続部が構成されている。絶縁基材１００の裏面１００ｂに配置された裏面導体パターン１２１によって第１、第２層間接続部材１３０、１４０の他方の接続部が構成されている。
【００３５】
熱流が熱流センサ１０を、その厚さ方向に通過すると、第１、第２層間接続部材１３０、１４０の一方の接続部と他方の接続部に温度差が生じる。これにより、ゼーベック効果によって第１、第２層間接続部材１３０、１４０に熱起電力が発生する。熱流センサ１０は、この熱起電力（例えば、電圧）をセンサ信号として出力する。
【００３６】
次に、本実施形態のセンシング部４０の制御部３２の処理について図６に従って説明する。ここでは、既に、データロガー５０が動作状態となっているものとする。ユーザの操作によりセンシング部４０に電源が投入されると、制御部３２は、図６に示す処理を定期的に実施する。なお、各図面のフローチャートにおける各制御ステップは、制御部３２が有する各種の機能実現部を構成している。
【００３７】
まず、制御部３２は、Ｓ１００にて、計測を開始するか否かを判定する。具体的には、スタートボタン３１１が操作されたか否かに基づいて計測を開始するか否かを判定する。ここで、スタートボタン３１１がタッチ操作されない場合、本処理を終了する。また、ユーザによりスタートボタン３１１がタッチ操作された場合、次に、Ｓ１０２にて、データ収集を行う。具体的には、図７に示すように、所定のサンプリング周期ｔ毎に熱流センサ１０から出力される電圧Ａ［ｍＶ］を収集し、収集した各電圧ＡをＲＡＭに記憶させる。
【００３８】
次に、Ｓ１０４にて、ストップボタン３１２がタッチ操作されたか否かに基づいて計測を終了するか否かを判定する。ここで、ストップボタン３１２がタッチ操作されてない場合、Ｓ１０２へ戻り、データ収集を継続する。
【００３９】
また、ストップボタン３１２がタッチ操作されると、次に、Ｓ１０６にて、熱流センサ１０で検出された熱流Ｑｎを算出する。具体的には、ＲＡＭに記憶した電圧毎に単位面積当たりの熱流Ｑｎ［Ｗ／ｃｍ2］を放熱量Ｈｎとして算出する。具体的には、係数αを用いて、単位面積当たりの熱流Ｑｎ＝α・Ａを算出し、さらに、標準的な大人の体の表面積Ｓを単位面積当たりの熱流Ｑｎに乗算して、人体全体で消費される熱流Ｑｎに補正する。なお、係数αは、本実施形態で採用している熱流センサ１０の面積等が考慮された値となっている。つまり、制御部３２は、サンプリング周期ｔ毎に人体全体で消費される放熱量Ｈｎを、Ｈｎ＝Ｑｎ＝α・Ａ・Ｓとして算出する。
【００４０】
次に、Ｓ１０７にて、計測を開始してから計測を終了するまでの所定期間の放熱量Ｒを積算する。図７に示すように、サンプリング周期をｔ［ｓ］、熱流Ｑｎを、熱流Ｑｎ＝放熱量Ｈｎとしたとき、放熱量Ｒ［Ｗ・ｈ］は、数式１を用いて算出することができる。
【００４１】
【数１】
2019017736.tif 000003
【００４２】
次に、Ｓ１０８にて、この放熱量Ｒを用いて計測を開始してから計測を終了するまでの期間のエネルギー代謝量Ｍを算出する。このエネルギー代謝量Ｍ［ｋｃａｌ］は、数式２を用いて算出することができる。
【００４３】
【数２】
2019017736.tif 000004
【００４４】
次に、Ｓ１１０にて、計測を開始してから計測を終了するまでの期間のエネルギー代謝量Ｍを表示部３１３に表示させる。
【００４５】
次に、Ｓ１１２にて、計測を開始してから計測を終了するまでの期間のエネルギー代謝量Ｍを日付を表す日付情報とともに記憶部３１４に記憶させる。なお、日付情報には、計測日および計測時間も含まれる。
【００４６】
次に、計測を開始してから計測を終了するまでの期間のエネルギー代謝量Ｍを日付を表す日付情報とともにデータロガー５０へ送信し、本処理を終了する。
【００４７】
なお、データロガー５０の制御部５２は、センシング部４０から送信されるデータを受信すると、この受信したデータを記憶部５１４に記憶させる処理を行う。さらに、制御部５２は、ユーザの操作部５１６の操作に応じて表示部５１３にメニュー画面を表示させ、ユーザの操作部５１６の操作に応じて記憶部５１４に記憶させた所定データの読出要求があると、そのデータを記憶部５１４から読み出して表示部５１３に表示させる処理も行う。例えば、ユーザの操作部５１６の操作により１か月前の日付が指定されると、制御部５２は、この日に計測したエネルギー代謝量および計測時間を記憶部５１４から読み出して表示部５１３に表示させる。
【００４８】
上記したように、本代謝量計測器は、人体から放出される放熱量を検出する放熱量検出部１０と、エネルギー代謝量の計測の開始および終了の指示を受け付ける操作部３１１、３１２と、操作部によりエネルギー代謝量の計測の開始の指示が受け付けられた場合、操作部によりエネルギー代謝量の計測の終了の指示が受け付けられるまでの所定期間、放熱量検出部により検出されたデータを周期的に収集し、収集したデータ毎に人体から放出される放熱量を算出する放熱量算出部（Ｓ１００〜Ｓ１０６）と、放熱量算出部により算出された放熱量に基づいて所定期間中に人体で消費されたエネルギー代謝量を算出する代謝量算出部（Ｓ１０８、Ｓ３１２）と、を備えている。
【００４９】
このような構成によれば、操作部によりエネルギー代謝量の計測の開始の指示が受け付けられた場合、操作部によりエネルギー代謝量の計測の終了の指示が受け付けられるまでの所定期間、放熱量検出部により出力されたデータが周期的に収集され、データ毎に人体から放出される放熱量が算出され、この放熱量に基づいて所定期間中に人体で消費されたエネルギー代謝量が算出されるので、人体のエネルギー代謝量を容易に計測することができる。  
【００５０】
また、放熱量検出部は、放熱量を熱流として検出する熱流センサ１０を備えている。熱流センサ１０は、人体から放出される放熱量を熱流として検出することができるので、例えば、筋肉の動きに応じた筋電信号を出力するセンサを用いて人体のエネルギー代謝量を推定する場合と比較して、精度良く人体のエネルギー代謝量を計測することが可能である。
【００５１】
また、代謝量算出部により算出された人体で消費されたエネルギー代謝量を日付を表す日付情報とともに記憶する記憶部３１４を備えているので、例えば、後日、エネルギー代謝量を日付とともに確認することが可能である。
【００５２】
（第２実施形態）
本発明の第２実施形態に係る代謝量計測器について図８〜図１２を用いて説明する。上記第１実施形態では、１つのセンシング部４０を人体８に装着し、このセンシング部４０が人体８で消費されるエネルギー代謝量の計測を行うよう構成した。これに対し、本実施形態では、図８に示すように、４つのセンシング部４０と、これらのセンシング部４０から無線送信されるデータを受信するデータロガー５０を備えている。データロガー５０は、各センシング部４０から無線送信されるデータに基づいて人体８で消費されるエネルギー代謝量を算出する。
【００５３】
また、上記第１実施形態のセンシング部４０にはスタートボタン３１１、ストップボタン３１２および表示部３１３が設けられているが、図９に示すように、本実施形態のセンシング部４０にはスタートボタン３１１、ストップボタン３１２および表示部３１３が設けられていない。
【００５４】
本実施形態では、Ｒａｍａｎａｔｈａｎの人体外殻層温度測定４点法測定部位である上腕部、胸部、大腿部および下腿部の４箇所に１つずつセンシング部４０を装着する。データロガー５０は、各センシング部４０から無線送信されるデータに基づいて人体８で消費されるエネルギー代謝量を算出する。
【００５５】
次に、本実施形態のセンシング部４０の制御部３２の処理について図１０に従って説明する。ここでは、４つあるセンシング部４０のうち上腕部に装着されたセンシング部４０の制御部３２の処理について説明する。
【００５６】
なお、制御部３２は、エネルギー代謝量の計測を開する前に、ユーザの人体の身体的特徴を表すパラメータを取集する。具体的には、ユーザの身長および体重の入力を促す画面を表示部５１３に表示させ、この表示部５１３の表示に従って入力されたユーザの身長および体重をＲＡＭに記憶させる処理を実施する。
【００５７】
制御部３２は、この処理が完了した後、図１０に示す処理を周期的に実施する。まず、Ｓ１００にて、計測を開始するか否かを判定する。本実施形態では、データロガー５０から計測の開始を指示する信号が入力されたか否かに基づいて計測を開始するか否かを判定する。ここで、データロガー５０から計測の開始を指示する信号が入力されてい場合、本処理を終了する。また、データロガー５０から計測の開始を指示する信号が入力されると、次に、Ｓ１０２にて、データ収集を行う。具体的には、図７に示すように、所定のサンプリング周期ｔ毎に熱流センサ１０から出力された電圧Ａ［ｍＶ］を収集し、収集した各電圧ＡをＲＡＭに記憶させる。
【００５８】
次に、Ｓ１０４にて、計測を終了するか否かを判定する。本実施形態では、データロガー５０から計測の終了を指示する信号が入力されたか否かに基づいて計測を終了するか否かを判定する。データロガー５０から計測の終了を指示する信号が入力されない場合、Ｓ１０２のデータ収集を継続する。
【００５９】
また、データロガー５０から計測の終了を指示する信号が入力されると、Ｓ１０６にて、熱流センサ１０で検出された熱流Ｑｎを算出する。具体的には、ＲＡＭに記憶したサンプリング周期ｔ毎の単位面積当たりの熱流Ｑｎ［Ｗ／ｃｍ2］を算出する。具体的には、係数αを用いて、単位面積当たりの熱流Ｑｎ＝α・Ａを算出する。なお、ここでは、人体全体全体で消費される熱流への補正は行わない。つまり、制御部３２は、ＲＡＭに記憶した電圧毎に放熱量Ｈｎを、Ｈｎ＝Ｑｎ＝α・Ａとして算出する。
【００６０】
次のＳ２０８では、Ｓ２０６にて算出した放熱量Ｈｎをデータロガー５０へ送信し、本処理を終了する。
【００６１】
このように、人体８の上腕部に装着されたセンシング部４０で計測されたサンプリング周期ｔ毎の放熱量Ｈｎがデータロガー５０に送信される。なお、データロガー５０の制御部５２は、センシング部４０から送信された各単位面積当たりの熱流Ｑｎを記憶部５１４に記憶する処理を行う。
【００６２】
なお、人体８の胸部、大腿部および下腿部に装着された各センシング部４０も、同様の処理を行う。そして、人体８の胸部、大腿部および下腿部に装着された各センシング部４０から、サンプリング周期ｔ毎の放熱量Ｈｎがデータロガー５０に送信される。
【００６３】
データロガー５０の制御部５２は、各センシング部４０から送信されたサンプリング周期ｔ毎の放熱量Ｈｎを受信すると、受信した放熱量Ｈｎをに基づいてエネルギー代謝量の算出する処理を実施する。
【００６４】
次に、データロガー５０の制御部５２の処理について図１１を用いて説明する。制御部５２は、周期的に図１１に示す処理を実施する。
【００６５】
本実施形態のデータロガー５０の制御部５２は、Ｓ３００にて、計測を開始するか否かを判定する。具体的には、データロガー５０の表示部５１３に計測の開始の指示を受け付けるためのスタートスイッチ５０１および計測の終了の指示を受け付けるためのストップスイッチ５０２を表示させ、この表示部５１３に表示されたスタートスイッチ５０１が操作部５１６を用いて選択されたか否か否かを判定する。
【００６６】
ここで、表示部５１３に表示されたスタートが選択されない場合、本処理を終了する。また、表示部５１３に表示されたスタートを示す表示体が選択された場合、Ｓ３０２にて、４つのセンシング部４０に対して計測をスタートするよう指示するコマンドを送信する。なお、各センシング部４０の制御部３２は、このコマンドを受信すると、熱流センサ１０から出力された電圧の収集を開始する。
【００６７】
次に、Ｓ３０４にて、制御部５２は、計測を終了するか否かを判定する。具体的には、データロガー５０の表示部５１３に表示されたストップスイッチ５０２が操作部５１６を用いて選択されたか否か否かを判定する。
【００６８】
ここで、表示部５１３に表示されたストップスイッチ５０２が選択されない場合、Ｓ３０４の判定を繰り返す。また、ストップスイッチ５０２が操作部５１６を用いて選択された場合、Ｓ３０６にて、各センシング部４０に対して計測をストップするよう指示するコマンドを送信する。なお、各センシング部４０の制御部３２は、このコマンドを受信するまで、熱流センサ１０で検出された熱流Ｑｎをサンプリング周期ｔ毎に収集する。そしてＳ２０６にて、サンプリング周期ｔ毎に熱流センサ１０で検出された熱流Ｑｎを算出し、Ｓ２０８にて、サンプリング周期ｔ毎の単位面積当たりの熱流Ｑｎを放熱量Ｈｎとしてデータロガー５０へ送信する。
【００６９】
次に、データロガー５０の制御部５２は、Ｓ３０８にて、各センシング部４からデータを取得する。具体的には、各センシング部４から放熱量Ｈｎとして送信された熱量Ｑｎを取得する。
【００７０】
次のＳ３１０では、制御部５２は、各熱流センサ１０が装着された人体の部位に応じて人体の所定部位毎の熱量Ｑｎに重み付けする。
【００７１】
ここで、上腕部に装着されたセンシング部４０により計測された熱流をＱ１n、胸部に装着されたセンシング部４０により計測された熱流をＱ２n、大腿部に装着されたセンシング部４０により計測された熱流をＱ３n、下腿部に装着されたセンシング部４０により計測された熱流をＱ４nとする。この場合、各熱流センサ１０が装着された人体の部位に応じて人体の所定部位毎の放熱量に重み付けした熱量Ｑaveを、Ｑave＝α１×Ｑ１n＋α２×Ｑ２n＋α３×Ｑ３n＋α４×Ｑ４nとして算出する。ここで、α１〜α４は重み付け係数である。重み付け係数の合計は１となるように設定される。なお、重み付け係数は、実験的に求められた値が用られる。
【００７２】
制御部５２は、例えば、α１＝α２＝０．３、α３＝α４＝０．２として、各熱流センサ１０が装着された人体の部位に応じて人体の所定部位毎の放熱量に重み付けした熱量Ｑ２aveを、Ｑave＝０．３×Ｑ１n＋０．３×Ｑ２n＋０．２×Ｑ３n＋０．２×Ｑ４nとをして算出する。
【００７３】
次のＳ３１２では、計測を開始してから計測を終了するまでの期間のエネルギー代謝量Ｍを算出する。まず、人体全体で消費されるエネルギー代謝量を算出する。具体的には、ＲＡＭに記憶させたユーザの身長および体重を読出し、人体全体の表面積Ｓを推定する。人体全体の表面積は、例えば、Ｄｕｂｏｉｓの式を用いて算出することができる。具体的には、ユーザの身長をＴ（ｃｍ）、体重をＷ（ｋｇ）とすると、人体全体の表面積Ｓは、Ｓ＝７１．８４×Ｔ0.725×Ｗ0.425として推定することができる。
【００７４】
次に、Ｓ３１０にて重み付けした熱量Ｑaveと人体全体の表面積Ｓを用いてサンプリング周期ｔ毎の人体全体で消費される放熱量Ｈｎを算出する。この放熱量Ｈｎは、Ｈｎ＝Ｑave×Ｓとして算出することができる。
【００７５】
次のＳ３１２では、エネルギー代謝量Ｍを算出する。まず、Ｓ３１０にて算出した単位時間あたりに人体全体で消費される熱流Ｑｎを用いて計測を開始してから計測を終了するまでの所定期間の放熱量Ｒ［Ｗ・ｈ］を積算する。放熱量Ｒは、上記した数式１を用いて算出することができる。その後、この放熱量Ｒを用いてエネルギー代謝量Ｍを算出する。具体的には、上記した数式２を用いて算出する。
【００７６】
次に、Ｓ３１４にて、計測を開始してから計測を終了するまでの期間のエネルギー代謝量Ｍを表示部３１３に表示させる。
【００７７】
次に、Ｓ３１６にて、Ｓ３１２にて算出したエネルギー代謝量Ｍを記憶部５１４に記憶させ、本処理を終了する。
【００７８】
なお、データロガー５０の制御部５２は、ユーザの操作部５１６の操作に応じて表示部５１３にメニュー画面を表示させ、ユーザの操作部５１６の操作に応じて記憶部５１４に記憶させた所定データの読出要求があると、そのデータを記憶部５１４から読み出して表示部５１３に表示させる処理も行う。例えば、ユーザの操作部５１６の操作により１か月前の日付が指定されると、制御部５２は、この日に計測したエネルギー代謝量を記憶部５１４から読み出して表示部５１３に表示させる。
【００７９】
本実施形態では、上記第１実施形態と共通の構成から奏される同様の効果を上記第１実施形態と同様に得ることができる。
【００８０】
また、代謝量算出部は、人体の身体的特徴を表すパラメータを取得し、該パラメータに基づいて人体全体の表面積を推定するとともに、放熱量算出部により算出された放熱量と人体全体の表面積とに基づいて人体で消費されたエネルギー代謝量を算出する。
【００８１】
つまり、人体の身体的特徴を表すパラメータが異なる場合には、人体で消費されたエネルギー代謝量も異なるように算出される。したがって、人体の身体的特徴に合わせてエネルギー代謝量が異なるように算出することが可能である。
【００８２】
また、放熱量検出部は、放熱量を熱流として検出する複数の熱流センサを備え、放熱量算出部は、複数の熱流センサより出力された複数のデータに基づいて人体の所定部位毎の放熱量を周期的に算出する。さらに、代謝量算出部は、複数の熱流センサが装着される人体の部位に応じて放熱量算出部により算出された人体の所定部位毎の放熱量に重み付けする重み付け部（Ｓ３１２）を備え、重み付け部により重み付けされた人体の所定部位毎の放熱量に基づいて人体で消費されたエネルギー代謝量を算出する。
【００８３】
これによれば、代謝量算出部は、複数の熱流センサが装着される人体の部位に応じて放熱量算出部により算出された人体の所定部位毎の放熱量に重み付けし、重み付けした人体の所定部位毎の放熱量に基づいて人体で消費されたエネルギー代謝量を算出するので、より精度良くエネルギー代謝量を算出することが可能である。
【００８４】
また、代謝量算出部により算出された人体で消費されたエネルギー代謝量を日付を表す日付情報とともに記憶する記憶部５１４を備えているので、例えば、後日、エネルギー代謝量を日付とともに確認することが可能である。
【００８５】
（他の実施形態）
（１）上記第１実施形態では、センシング部４０およびデータロガー５０を有する代謝量計測器１を示したが、データロガー５０を省略することもできる。
【００８６】
（２）上記各実施形態では、代謝量計測器１の一部としてデータロガー５０を採用したが、データロガー５０に代えてパーソナルコンピュータ、スマートフォン、携帯情報端末等を採用してもよい。
【００８７】
（３）上記第１実施形態では、人体８の上腕部８１にセンシング部４０を装着したが、胸部、大腿部、下腿部等に装着することもできる。
【００８８】
（４）上記第２実施形態では、人体８の上腕部、胸部、大腿部、下腿部にセンシング部４０を装着したが、これらの４箇所に限定されるものではない。例えば、これらの４箇所と異なる部位にセンシング部４０を装着してもよく、これらの４箇所のうちの１〜３箇所にセンシング部４０を装着するようにしてもよい。
【００８９】
（５）上記各実施形態では、センシング部４０とデータロガー５０との間の通信を無線通信で行うようにしたが、無線通信でなく有線通信とする構成としてもよい。
【００９０】
（６）上記第２実施形態では、人体全体のエネルギー代謝量を算出して表示する例を示したが、センシング部４０毎に、エネルギー代謝量を算出して表示するようにしてもよい。具体的には、放熱量算出部が、複数の熱流センサ１０より出力された複数のデータに基づいて人体の所定部位毎の放熱量を周期的に算出し、所定部位毎の放熱量を表示部５１３に表示させるようにしてもよい。これにより、例えば、人体のどの部位でどれだけのエネルギー代謝量を消費しているのか把握しながらトレーニングを行うことができる。
【００９１】
（７）上記第２実施形態では、人体の身体的特徴を表すパラメータとしてユーザの身長および体重の入力を促し、入力された身長および体重を用いて人体全体の表面積Ｓを推定したが、身長および体重以外のパラメータを人体の身体的特徴を表すパラメータとして用いて人体全体の表面積Ｓを推定してもよい。
【００９２】
（８）上記第１実施形態では、標準的な大人の体の表面積Ｓを単位面積当たりの熱流Ｑｎに乗算して、人体全体で消費される熱流Ｑｎを補正したが、上記第２実施形態のように、人体の身体的特徴を表すパラメータを用いて人体全体で消費される熱流Ｑｎに補正してもよい。
【００９３】
（９）上記各実施形態では、人体から放出される放熱量を検出する放熱量検出部として熱流センサを用いたが、例えば、赤外線サーモグラフィ等、熱流センサ以外のセンサを用いて人体から放出される放熱量を検出するようにしてもよい。
【００９４】
（１０）上記各実施形態では、操作部に相当するスタートボタン３１１およびストップボタン３１２が、ユーザ操作によるエネルギー代謝量の計測の開始および終了の指示を受け付けるよう構成したが、例えば、ＣＰＵを備えた制御部からのエネルギー代謝量の計測の開始および終了の指示を操作部が受け付けるよう構成することもできる。この場合、例えば、センサによりユーザの所定の動作が検知された場合、あるいは、所定時間毎に制御部からエネルギー代謝量の計測の開始および終了の指示を操作部に送信させ、操作部は、この指示を受け付けるよう構成することができる。
【００９５】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００９６】
（まとめ）
上記各実施形態の一部または全部で示された第１の観点によれば、代謝量計測器は、人体から放出される放熱量を検出する放熱量検出部（１０）と、エネルギー代謝量の計測の開始および終了の指示を受け付ける操作部（３１１、３１２、５０１、５０２）と、を備えている。また、操作部によりエネルギー代謝量の計測の開始の指示が受け付けられた場合、操作部によりエネルギー代謝量の計測の終了の指示が受け付けられるまでの所定期間、放熱量検出部により検出されたデータを周期的に収集し、収集したデータ毎に人体から放出される放熱量を算出する放熱量算出部（Ｓ１００〜Ｓ１０６）を備えているる、さらに、放熱量算出部により算出された放熱量に基づいて所定期間中に人体で消費されたエネルギー代謝量を算出する代謝量算出部（Ｓ１０７〜Ｓ１０８、Ｓ３０８〜Ｓ３１２）と、を備えている。
【００９７】
また、第２の観点によれば、放熱量検出部は、放熱量を熱流として検出する熱流センサを備えている。熱流センサは、人体から放出される放熱量を熱流として検出することができるので、例えば、筋肉の動きに応じた筋電信号を出力するセンサを用いてエネルギー代謝量を推定する場合と比較して、精度良く人体のエネルギー代謝量を計測することが可能である。
【００９８】
また、第３の観点によれば、代謝量算出部は、人体の身体的特徴を表すパラメータを取得し、該パラメータに基づいて人体全体の表面積を推定するとともに、放熱量算出部により算出された放熱量と人体全体の表面積とに基づいて人体で消費されたエネルギー代謝量を算出することである。
【００９９】
つまり、人体の身体的特徴を表すパラメータが異なる場合には、人体で消費されたエネルギー代謝量も異なるように算出される。したがって、人体の身体的特徴に合わせてエネルギー代謝量が異なるように算出することが可能である。
【０１００】
また、第４の観点によれば、放熱量検出部は、放熱量を熱流として検出する複数の熱流センサを備え、放熱量算出部は、複数の熱流センサより出力された複数のデータに基づいて人体の所定部位毎の放熱量を周期的に算出することである。
【０１０１】
これにより、例えば、人体のどの部位でどれだけのエネルギー代謝量を消費しているのか把握しながらトレーニングを行うことができる。
【０１０２】
また、第５の観点によれば、代謝量算出部は、複数の熱流センサが装着される人体の部位に応じて放熱量算出部により算出された人体の所定部位毎の放熱量に重み付けする重み付け部（Ｓ３１２）を備え、重み付け部により重み付けされた人体の所定部位毎の放熱量に基づいて人体で消費されたエネルギー代謝量を算出することである。
【０１０３】
これによれば、代謝量算出部は、複数の熱流センサが装着される人体の部位に応じて放熱量算出部により算出された人体の所定部位毎の放熱量に重み付けし、重み付けした人体の所定部位毎の放熱量に基づいて人体で消費されたエネルギー代謝量を算出するので、より精度良くエネルギー代謝量を算出することが可能である。
【０１０４】
また、第６の観点によれば、代謝量算出部により算出された人体で消費されたエネルギー代謝量を日付を表す日付情報とともに記憶する記憶部（３１４、５１４）を備えたことである。
【０１０５】
したがって、記憶部に記憶されたエネルギー代謝量を日付情報とともに読み出して表示部に表示させることが可能となり、例えば、後日、エネルギー代謝量を日付とともに確認することが可能である。
【０１０６】
これにより、毎日の運動の負荷や日常生活での代謝量が把握できるため、効率的なダイエットやトレーニングができる。また、特に運動をしていない人でも、毎日の基礎代謝量を含めた代謝量がわかるため、例えば、食事制限で体重を落としすぎて基礎代謝量が減るような非効率的なダイエットが避けることができる。
【０１０７】
なお、上記実施形態における構成と特許請求の範囲の構成との対応関係について説明すると、スタートボタン３１１、ストップボタン３１２、スタートスイッチ５０１、ストップスイッチ５０２が操作部に相当し、Ｓ１００〜Ｓ１０６が放熱量算出部に相当し、Ｓ１０７〜Ｓ１０８、Ｓ３０８〜Ｓ３１２が代謝量算出部に相当する。また、Ｓ３１２が重み付け部に相当する。
【符号の説明】
【０１０８】
１    代謝量計測器
１０  熱流センサ
２０  ジェルパッド
３０  本体部
４０  センシング部
５０  データロガー
【図１】
2019017736.tif 000005
【図２】
2019017736.tif 000006
【図３】
2019017736.tif 000007
【図４】
2019017736.tif 000008
【図５】
2019017736.tif 000009
【図６】
2019017736.tif 000010
【図７】
2019017736.tif 000011
【図８】
2019017736.tif 000012
【図９】
2019017736.tif 000013
【図１０】
2019017736.tif 000014
【図１１】
2019017736.tif 000015
【図１２】
2019017736.tif 000016